(57)【要約】【課題】映像や音声が表示されない等の不具合にユーザーが対処しやすいＡＶシステムを提供する。【解決手段】ＡＶシステム１は、映像信号及び音声信号を出力するソース機器１０と、ソース機器１０にケーブル３０を介して接続されて、前記映像信号及び音声信号が入力される受信機器２０と、を備える。前記映像信号に基づく映像、及び、前記音声信号に基づく音声のうちの少なくともいずれか一方が受信機器２０において出力されないトラブルが生じた場合に、ユーザーが当該トラブルを通知するための通知部１７を備える。【選択図】図１
2014093701.tif 000002
【特許請求の範囲】
【請求項１】
映像信号及び音声信号を出力するソース機器と、
前記ソース機器にケーブルを介して接続されて、前記映像信号及び音声信号が入力される受信機器と、
を備えるＡＶシステムであって、
前記映像信号に基づく映像、及び、前記音声信号に基づく音声のうちの少なくともいずれか一方が前記受信機器において出力されないトラブルが生じた場合に、ユーザーが当該トラブルを通知するための通知部を備えることを特徴するＡＶシステム。
【請求項２】
前記通知部からの通知があると、映像及び音声のうちの少なくとも一方の設定レベルが自動的に下げられることを特徴とする請求項１に記載のＡＶシステム。
【請求項３】
前記通知部からの通知があると、自動的に下げられた前記設定レベルに基づいて前記受信機器から映像及び音声のうちの少なくとも一方が試験的に出力されるとともに、当該設定レベルで良いか否かの判断をユーザーに促すＯＳＤ（On-Screen Display）映像が出力されることを特徴とする請求項２に記載のＡＶシステム。
【請求項４】
前記ＯＳＤ映像には、現在の設定レベルから変更可能な設定レベルをユーザーに知らせる映像が含まれることを特徴とする請求項３に記載のＡＶシステム。
【請求項５】
前記設定レベルが自動的に下げられた後にユーザーが前記設定レベルを変更すると、ユーザーが映像を見られるか否かを質問するＯＳＤ映像が表示されるように設けられ、
当該質問に対するユーザーの応答がないと判断された場合に、前記設定レベルを変更前の状態に自動的に戻すことを特徴とする請求項２から４のいずれかに記載のＡＶシステム。
【請求項６】
前記ケーブルは、ＨＤＭＩ(High-Definition Multimedia Interface)ケーブルであることを特徴とする請求項１から５のいずれかに記載のＡＶシステム。
【請求項７】
ケーブルを介して映像信号及び音声信号を受信機器に出力するソース機器であって、
前記映像信号に基づく映像、及び、前記音声信号に基づく音声のうちの少なくともいずれか一方が前記受信機器において出力されないトラブルが生じた場合に、ユーザーが当該トラブルを通知するための通知部を備えることを特徴とするソース機器。
【請求項８】
前記通知部からの通知があると、映像及び音声のうちの少なくとも一方の設定レベルを自動的に下げる制御部を更に備えることを特徴とする請求項７に記載のソース機器。
【請求項９】
前記制御部は、前記通知部からの通知があると、映像信号及び音声信号のうちの少なくとも一方について、自動的に下げられた前記設定レベルにしたがった信号に変換して試験的に前記受信機器に出力させるとともに、当該設定レベルで良いか否かの判断をユーザーに促すＯＳＤ映像を前記受信機器に出力させることを特徴とする請求項８に記載のソース機器。
【請求項１０】
前記ＯＳＤ映像には、現在の設定レベルから変更可能な設定レベルをユーザーに知らせる映像が含まれることを特徴とする請求項９に記載のソース機器。
【請求項１１】
前記制御部は、前記設定レベルが自動的に下げられた後にユーザーが前記設定レベルを変更した場合に、ユーザーが映像を見られるか否かを質問するＯＳＤ映像を前記受信機器に出力するように設けられ、
前記制御部は、前記質問に対するユーザーの応答がないと判断した場合に、前記設定レベルを変更前の状態に自動的に戻すことを特徴とする請求項８から１０のいずれかに記載のソース機器。
【請求項１２】
前記ケーブルはＨＤＭＩケーブルであることを特徴とする請求項７から１１のいずれかに記載のソース機器。
【請求項１３】
ソース機器からケーブルを介して映像信号及び音声信号が入力される受信機器であって、
前記映像信号に基づく映像、及び、前記音声信号に基づく音声のうちの少なくともいずれか一方が出力できないトラブルが生じた場合に、ユーザーが当該トラブルを通知するための通知部と、
前記通知部からの通知があると、前記ソース機器と連携して、映像及び音声のうちの少なくとも一方の設定レベルを自動的に下げる処理を実行する制御部と、
を備えることを特徴とする受信機器。
【発明の詳細な説明】
【技術分野】
【０００１】
本発明は、ソース機器、受信機器、及びＡＶ（Audio Visual）システムに関する。
【背景技術】
【０００２】
従来、映像データや音声データを供給するソース（Source）機器と、ソース機器から供給されたデータを受け取る受信機器と、を備えるＡＶシステムが知られている。近年においては、ソース機器及び受信機器は、ＨＤＭＩ（High-Definition Multimedia Interface）規格に準拠して構成されるのが一般的であり、両者はＨＤＭＩケーブルを介して接続できる。
【０００３】
なお、ソース機器としては、例えばＢＤ（Blu-ray Disc；登録商標）プレーヤー、ＢＤレコーダー、ＤＶＤ（Digital Versatile Disc）プレーヤー、ＤＶＤレコーダー、ＣＤ（Compact Disc）プレーヤー、デジタルビデオカメラ等が挙げられる。受信機器は、シンク（Sink）機器やリピーター（Repeater）機器によって構成される。シンク機器としては、例えばＬＣＤ（Liquid Crystal Display）、ＰＤＰ（Plasma Display Panel）、プロジェクター等が挙げられる。また、リピーター機器としては、例えばＡＶアンプ、ＡＶレシーバー等が挙げられる。
【０００４】
ＨＤＭＩケーブルを利用したＡＶシステムにおいては、特定の機器間で不具合が発生することがある（例えば特許文献１参照）。不具合の例として、受信機器から映像や音声が全く出力されないという現象が挙げられる。このような場合に、例えばソース機器において通信エラーや認証エラーが認識されている場合には、特許文献１や２に開示される手法によって、特にユーザーに負担をかけることなく不具合の解消が図れる。
【先行技術文献】
【特許文献】
【０００５】
【特許文献１】特開２０１１−１６０２４５号公報
【特許文献２】特開２００８−１９３１６８号公報
【発明の概要】
【発明が解決しようとする課題】
【０００６】
しかしながら、本出願人が鋭意検討した結果、特定の機器間において、例えばソース機器がエラー（認証エラー等）を認識していないにも関わらず、受信機器から映像や音声が全く出力されないという事態が発生する場合があることがわかった。このような場合、ＡＶシステムにおいてはエラーの認識がないために、自動的に不具合が解消されない。特に、受信機器から映像が出力されていない場合は、受信機器の画面を見ながら設定変更するということもできない。結果として、ユーザーは、例えばＨＤＭＩケーブルの使用を断念したり、メーカーに問い合わせたりする必要があった。
【０００７】
そこで、本発明は、映像や音声が表示されない等の不具合にユーザーが対処しやすい、ソース機器、受信機器、及び、ＡＶシステムを提供することを目的とする。
【課題を解決するための手段】
【０００８】
上記目的を達成するために本発明のＡＶシステムは、映像信号及び音声信号を出力するソース機器と、前記ソース機器にケーブルを介して接続されて、前記映像信号及び音声信号が入力される受信機器と、を備えるＡＶシステムであって、前記映像信号に基づく映像、及び、前記音声信号に基づく音声のうちの少なくともいずれか一方が前記受信機器において出力されないトラブルが生じた場合に、ユーザーが当該トラブルを通知するための通知部を備える構成（第１の構成）とされる。
【０００９】
本構成によれば、ユーザーは通知部を利用して、ＡＶシステムにおいて映像が表示されない等の不具合（トラブル）が発生していることを、当該システムを構成する機器に知らせることができる。
【００１０】
上記第１の構成のＡＶシステムにおいて、前記通知部からの通知があると、映像及び音声のうちの少なくとも一方の設定レベルが自動的に下げられる構成（第２の構成）とするのが好ましい。本構成によれば、ユーザーは通知部を操作するだけで、トラブル回避が可能である。
【００１１】
上記第２の構成のＡＶシステムにおいて、前記通知部からの通知があると、自動的に下げられた前記設定レベルに基づいて前記受信機器から映像及び音声のうちの少なくとも一方が試験的に出力されるとともに、当該設定レベルで良いか否かの判断をユーザーに促すＯＳＤ（On-Screen Display）映像が出力される構成（第３の構成）が採用されるのが好ましい。本構成によれば、ユーザーは、できるだけ高いレベル（画質、音質）で映像及び音声の視聴を行うことが可能になる。
【００１２】
上記第３の構成のＡＶシステムにおいて、前記ＯＳＤ映像には、現在の設定レベルから変更可能な設定レベルをユーザーに知らせる映像が含まれる構成（第４の構成）とするのが好ましい。本構成によれば、ユーザーは設定変更を行い易い。
【００１３】
上記第２から第４のいずれかの構成のＡＶシステムにおいて、前記設定レベルが自動的に下げられた後にユーザーが前記設定レベルを変更すると、ユーザーが映像を見られるか否かを質問するＯＳＤ映像が表示されるように設けられ、当該質問に対するユーザーの応答がないと判断された場合に、前記設定レベルを変更前の状態に自動的に戻す構成（第５の構成）が採用されるのが好ましい。本構成によれば、映像が表示されない等の不具合をスムーズに解消でき、ユーザーにとって使い勝手の良いシステムを提供できる。
【００１４】
上記第１から第５のいずれかの構成のＡＶシステムにおいて、前記ケーブルは、ＨＤＭＩ(High-Definition Multimedia Interface)ケーブルである構成（第６の構成）であってもよい。
【００１５】
上記目的を達成するために本発明のソース機器は、ケーブルを介して映像信号及び音声信号を受信機器に出力するソース機器であって、前記映像信号に基づく映像、及び、前記音声信号に基づく音声のうちの少なくともいずれか一方が前記受信機器において出力されないトラブルが生じた場合に、ユーザーが当該トラブルを通知するための通知部を備える構成（第７の構成）となっている。
【００１６】
本構成によれば、ユーザーは通知部を利用して、受信機器において映像が表示されない等の不具合（トラブル）が発生していることを、当該ソース機器に知らせることができる。
【００１７】
上記第７の構成のソース機器において、前記通知部からの通知があると、映像及び音声のうちの少なくとも一方の設定レベルを自動的に下げる制御部を更に備える構成（第８の構成）とするのが好ましい。本構成によれば、ユーザーは通知部を操作するだけで、トラブル回避が可能である。
【００１８】
上記第８の構成のソース機器において、前記制御部は、前記通知部からの通知があると、映像信号及び音声信号のうちの少なくとも一方について、自動的に下げられた前記設定レベルにしたがった信号に変換して試験的に前記受信機器に出力させるとともに、当該設定レベルで良いか否かの判断をユーザーに促すＯＳＤ映像を前記受信機器に出力させる構成（第９の構成）とするのが好ましい。本構成によれば、ユーザーは、可能な限り最高の状態で映像及び音声の視聴を行うことが可能になる。
【００１９】
上記第９の構成のソース機器において、前記ＯＳＤ映像には、現在の設定レベルから変更可能な設定レベルをユーザーに知らせる映像が含まれる構成（第１０の構成）とするのが好ましい。本構成によれば、ユーザーは設定変更を行い易い。
【００２０】
上記第８から第１０のいずれかの構成のソース機器において、前記制御部は、前記設定レベルが自動的に下げられた後にユーザーが前記設定レベルを変更した場合に、ユーザーが映像を見られるか否かを質問するＯＳＤ映像を前記受信機器に出力するように設けられ、前記制御部は、前記質問に対するユーザーの応答がないと判断した場合に、前記設定レベルを変更前の状態に自動的に戻す構成（第１１の構成）とするのが好ましい。本構成によれば、映像が表示されない等の不具合をスムーズに解消可能である。
【００２１】
上記第７から第１１のいずれかの構成のソース機器において、前記ケーブルはＨＤＭＩケーブルである構成（第１２の構成）であってよい。
【００２２】
上記目的を達成するために本発明の受信機器は、ソース機器からケーブルを介して映像信号及び音声信号が入力される受信機器であって、前記映像信号に基づく映像、及び、前記音声信号に基づく音声のうちの少なくともいずれか一方が出力できないトラブルが生じた場合に、ユーザーが当該トラブルを通知するための通知部と、前記通知部からの通知があると、前記ソース機器と連携して、映像及び音声のうちの少なくとも一方の設定レベルを自動的に下げる処理を実行する制御部と、を備える構成（第１３の構成）になっている。
【００２３】
本構成によれば、ユーザーは通知部を利用して、ソース機器に接続される受信機器において映像が表示されない等の不具合を簡単に解消可能である。
【発明の効果】
【００２４】
本発明によれば、映像や音声が表示されない等の不具合にユーザーが対処しやすい、ソース機器、受信機器、及び、ＡＶシステムを提供できる。
【図面の簡単な説明】
【００２５】
【図１】本発明の実施形態に係るＡＶシステムの構成を示すブロック図
【図２】本実施形態のＡＶシステムにおける、通知部を利用したトラブル回避処理手順を示すフローチャート
【図３】本実施形態のＡＶシステムが備えるテレビジョン受像機に表示される第１のＯＳＤ映像の一例を示す模式図
【図４】本実施形態のＡＶシステムが備えるテレビジョン受像機に表示される第２のＯＳＤ映像の一例を示す模式図
【図５】本実施形態のＡＶシステムにおける、通知部を利用したトラブル回避処理手順の別形態を示すフローチャート
【発明を実施するための形態】
【００２６】
以下、本発明に係るソース機器、受信機器及びＡＶシステムの実施形態について、図面を参照しながら詳細に説明する。なお、本発明に係るソース機器（信号出力側の機器）には、例えばＢＤプレーヤー、ＢＤレコーダー、ＤＶＤプレーヤー、ＤＶＤレコーダー、ＣＤプレーヤー、デジタルビデオカメラ、ホームシアターセットのセット本体等が含まれる。また、本発明に係る受信機器（信号入力側の機器）には、例えばＬＣＤやＰＤＰを備える映像表示装置やプロジェクター等が含まれる。受信機器には、リピーター機器となるＡＶアンプ（スピーカーが接続される）等が含まれてよい。
【００２７】
（ＡＶシステムの概要）
図１は、本発明の実施形態に係るＡＶシステム１の構成を示すブロック図である。図１に示すように、本実施形態のＡＶシステム１は、本発明のソース機器の一例である光ディスク再生装置１０と、本発明の受信機器の一例であるテレビジョン受像機２０と、を備える構成になっている。光ディスク再生装置１０とテレビジョン受像機２０とは、ＨＤＭＩケーブル３０を介して接続されている。
【００２８】
光ディスク再生装置１０には、マイクロコンピュータによって構成される第１の制御部１１が含まれる。第１の制御部１１は、当該装置を構成する各部の動作を制御する。第１の制御部１１によって行われる処理には、映像及び音声に関わるフォーマットの設定処理も含まれる。
【００２９】
映像音声再生処理部１２は、光ディスク（又はハードディスク）から映像及び音声データを読み出して、映像信号及び音声信号をＯＳＤ（On-Screen Display）部１３に出力する。ＯＳＤ部１３には、詳細にはＯＳＤ画像生成部とＯＳＤ合成部とが含まれる。ＯＳＤ画像生成部は、ユーザーに対する案内画像等を生成する。ＯＳＤ合成部は、映像音声再生処理部１２から与えられた映像信号に、ＯＳＤ画像生成部で生成された画像を合成する。
【００３０】
ＯＳＤ部１３から映像信号及び音声信号を受け取った信号処理部１４は、第１の制御部１１からの指示にしたがって、映像信号及び音声信号を特定のフォーマットに変換する処理を行う。信号処理部１４によって信号処理された映像信号及び音声信号は、第１のＨＤＭＩ通信部１５から、ＨＤＭＩケーブル３０を介してテレビジョン受像機２０へと送信される。
【００３１】
第１のＨＤＭＩ通信部１５は、テレビジョン受像機２０との間で、映像信号、音声信号、映像及び音声の設定に関わる情報を送受信可能とするインターフェースである。なお、ＨＤＭＩ規格のインターフェースは複数のチャンネルを有する。映像信号及び音声信号は、ＴＭＤＳ（Transition Minimized Differential Signaling）チャンネルを使用して送受信される。映像及び音声フォーマットに関する情報は、ＣＥＣ（Consumer Electronics Control）チャンネルを使用して送受信される。
【００３２】
第１の記憶部１６は不揮発性メモリである。第１の記憶部１６には、例えばＥＤＩＤ（Extended Display Identification Data）のような認識データが保持される。この認識データには、対応可能な解像度設定やカラー設定等の映像に関わる信号フォーマットと、対応可能なサラウンド形式等の音声に関わる信号フォーマットとが含まれる。第１の制御部１１は、第１の記憶部１６に記憶される情報を読み出して、光ディスク再生装置１０側で対応可能な映像及び音声のフォーマットの種類を特定することができる。
【００３３】
通知部１７は、トラブル（トラブルの詳細については後述する）が生じた場合に、ユーザーが当該トラブルを通知する手段である。通知部１７は、光ディスク再生装置１０の装置本体に設けられる構成としてもよい。この場合、通知部１７は装置本体に設けられる操作ボタンやタッチパネル等であってよい。また、通知部１７は、リモコンに設けられる操作ボタンやタッチパネル等であってもよい。通知部１７がリモコンの場合、光ディスク再生装置１０の装置本体はリモコン受信部を備えることになる。
【００３４】
テレビジョン受像機２０には、マイクロコンピュータによって構成される第２の制御部２１が含まれる。第２の制御部２１は、当該装置を構成する各部の動作を制御する。第２の制御部２１によって行われる処理には、映像及び音声に関わるフォーマットの設定処理も含まれる。
【００３５】
映像音声処理部２２は、第２の制御部２１の指示にしたがって、第２のＨＤＭＩ通信部２３で受信した映像信号及び音声信号を処理する。映像音声処理部２２で処理された映像信号は、表示部２４に出力される。表示部２４は、ＬＣＤ等によって構成される。映像音声処理部２２で処理された音声信号は、スピーカー２５に出力される。映像音声処理部２２は、図示しないチューナー部で受信されたテレビ放送の受信信号を処理するものであってよい。
【００３６】
なお、映像音声処理部２２には、ＯＳＤ画像の生成及び合成を行うＯＳＤ部が含まれてもよい。また、第２のＨＤＭＩ通信部２３は、光ディスク再生装置１０との間で、映像信号、音声信号、映像及び音声フォーマットに関する情報を送受信可能とするインターフェースである。
【００３７】
第２の記憶部２６は不揮発性メモリである。第２の記憶部２６には、第１の記憶部１６と同様に、ＥＤＩＤが保持されている。第２の制御部２１は、第２の記憶部２６に記憶される情報を読み出して、テレビジョン受像機２０側で対応可能な映像及び音声フォーマットの種類を特定することができる。
【００３８】
以上のように構成されるＡＶシステム１では、光ディスク再生装置１０は、通常、映像及び音声フォーマットを自動的に決定して、決定されたフォーマットに従った映像信号及び音声信号を、ＨＤＭＩケーブル３０を介してテレビジョン受像機２０に出力する。詳細には、光ディスク再生装置１０は、ＣＥＣチャンネルを利用して、テレビジョン受像機２０からＥＤＩＤを取得する。光ディスク再生装置１０は、取得したＥＤＩＤと、自身のＥＤＩＤとを比較して、両者（光ディスク再生装置１０とテレビジョン受像機２０）が対応可能な最高品質の映像及び音声フォーマットを、テレビジョン受像機２０に出力するフォーマットとして決定する。
【００３９】
（本発明で解決すべき問題点のおさらい）
ところで、近年においては、光ディスク再生装置やテレビジョン受像機は、高画質及び／又は高音質に対応するものが増えてきている。本出願人が鋭意検討した結果、高画質等に対応する光ディスク再生装置及びテレビジョン受像機を用いた上記構成のＡＶシステム１において、映像や音声が視聴できないといった不具合（トラブル）が発生することがわかった。以下、上述の不具合の具体例を示しておく。
【００４０】
例えば、特定の光ディスク再生装置と、特定のテレビジョン受像機とをＨＤＭＩケーブルで接続した場合に、以下の３つの条件（ａ〜ｃ）の全てが揃うと、テレビジョン受像機から音声が出力されないことがあった（第１の具体例）。なお、ＨＤＭＩの認証エラーは発生していなかった。
条件ａ：ディープカラーの設定がＯＮ
条件ｂ：解像度の設定が、１０８０ｐ、１０８０ｉ、７２０ｐのいずれか
条件ｃ：音声（ＭＰ３）のサンプリング周波数の設定が、４４．１ｋＨｚか３２ｋＨｚ
【００４１】
また、特定の光ディスク再生装置と、特定のテレビジョン受像機とをＨＤＭＩケーブルで接続した場合に、以下の２つの条件（ａ、ｂ）が揃うと、テレビジョン受像機における映像が数秒間隔で黒画面になることがあった（第２の具体例）。なお、ＨＤＭＩの認証エラーは発生していなかった。
条件ａ：ディープカラーの設定がＯＮ
条件ｂ：解像度の設定が１０８０ｐ
【００４２】
上記第１及び第２の具体例では、ＨＤＭＩの認証エラーは発生しておらず、光ディスク再生装置１０自身はエラーが発生していることを認識できていない。このために、光ディスク再生装置１０は、不具合を自動で解消できない。特に第２の具体例に示すような不具合では、ユーザーはテレビジョン受像機の画面を見ながら設定変更することもできない。
【００４３】
本出願人の更なる検討により、上記第１の具体例の場合、ディープカラーの設定をオフにするか、解像度の設定を４８０ｐとすることによって不具合（トラブル）が解消された。また、上記第２の具体例の場合、ディープカラーの設定をオフにするか、解像度の設定を１０８０ｐより低画質とすることによって不具合が解消された。
【００４４】
以上の事実から、本実施形態のＡＶシステム１においても、ＨＤＭＩの認証エラーが発生していないにもかかわらず、テレビジョン受像機２０で光ディスク再生装置１０から出力される映像や音声を視聴できないといった不具合（トラブル）が生じることが懸念された。光ディスク再生装置１０における通知部１７は、このようなトラブルを解消できるように設けられたものである。以下、本実施形態のＡＶシステム１における、通知部１７を利用したトラブル回避処理について説明する。
【００４５】
（トラブル回避処理の実施形態）
図２は、本実施形態のＡＶシステム１における、通知部１７を利用したトラブル回避処理手順を示すフローチャートである。光ディスク再生装置１０の第１の制御部１１は、当該装置の電源がオンされると、ユーザーが通知部１７を利用してトラブルを通知したか否かを監視する（ステップＳ１）。ユーザーによるトラブルの通知は、例えば通知部１７が備える操作ボタンを、ユーザーが押圧することによって達成できる。
【００４６】
ユーザーからのトラブル通知があったと判断すると（ステップＳ１でＹｅｓ）、第１の制御部１１は、映像及び音声に関わる設定値の設定レベルを自動的に変更する（ステップＳ２）。ここでの設定レベルの変更は、映像及び音声の品質を下げる変更である。設定変更が行われる映像設定としては、解像度、ディープカラーのビット数、映像の次元（３Ｄ／２Ｄ）等が含まれてよい。設定変更が行われる音声設定としては、音声ファイルフォーマットの種類（「ＤＴＳ」（登録商標）、「ドルビーデジタル」、「ＰＣＭ」等）、最高音声サンプリング周波数、最高音声チャンネル数等が含まれてよい。
【００４７】
本実施形態では、第１の制御部１１は、ユーザーから通知部１７を利用したトラブル通知があると、各設定値を最低の設定レベルに変更する。ここでいう最低の設定レベルは、光ディスク再生装置１０とテレビジョン受像機２０との両方で設定可能な設定値の中から選択される最低値である。例えば、第１の制御部１１は、解像度を４８０ｐ、ディープカラーのビット数を８ビット（ディープカラー＝オフ）、映像の次元を２Ｄ、音声ファイルフォーマットの種類をＰＣＭ、最高音声サンプリング周波数を４８ｋＨｚ、最高音声チャンネル数を２ｃｈに設定する。
【００４８】
なお、ここでは、映像と音声との両方の設定レベルが自動変更される構成を示したが、これに限らず、例えば映像と音声とのうちのいずれか一方のみの設定レベルが自動変更される構成としてもよい。また、自動変更される映像設定や音声設定の種類は１つのみでもよいし、複数種類（本実施形態は、こちらに該当）でもよい。例えば映像の設定値のみを変更する場合において、上記設定値のいずれか１つのみ（例えば解像度のみやディープカラーのビット数のみ）、又はいずれか２つのみ（例えば解像度及びディープカラーのビット数）が自動変更される構成等でもよい。
【００４９】
また、ここでは、映像及び音声の設定値が自動変更される場合に、最低の設定レベルに自動変更される構成とした。しかし、この構成に限定されず、自動変更によって得られる設定レベルは、最低の設定レベルより高いレベルであっても構わない。
【００５０】
第１の制御部１１は、映像等の設定レベルの自動変更を行うと、自動変更された設定レベルに従ったテスト映像及び音声（正確には信号）を、ＨＤＭＩケーブル３０を介してテレビジョン受像機２０へと出力させる（ステップＳ３）。これにより、テレビジョン受像機２０の表示部２４にはテスト映像が表示され、スピーカー２５からはテスト音声が出力される。テスト映像やテスト音声は、光ディスク再生装置１０のメモリに予め記憶させておいたものであってもよいし、光ディスク（或いはＨＤＤ）の再生によって得られるものであってもよい。
【００５１】
なお、設定レベルの自動変更によって低下された映像レベルや音声レベルによっても、映像や音声が出力されないことも有り得る。しかし、大部分の場合において、映像や音声の設定レベルを適切に低下させることによって、テスト映像及び音声が得られる。また、場合によっては、映像及び音声のうちのいずれか一方のみが試験的に出力される構成であってもよい。
【００５２】
また、第１の制御部１１は、テスト映像及び音声をテレビジョン受像機２０に出力させるにあたって、図３に示すような質問（第１のＯＳＤ映像）をテスト映像に重畳させる。第１のＯＳＤ映像は、テスト映像及び音声の設定レベルを変更することをユーザーが希望しているか否かを確認するための映像である。すなわち、第１の制御部１１は、ユーザーが設定変更を希望するか否かを確認するための処理を行う（ステップＳ４）。
【００５３】
なお、第１のＯＳＤ映像は、テスト映像と同時に表示されてもよいし、テスト映像が表示されてから、所定の期間経過後に表示されてもよい。また、第１のＯＳＤ映像は、設定変更可能な映像及び音声の設定値を含むものであってよい。これらの設定値は、図３に示す選択画面と並んで表示されてもよいし、図３でＹｅｓが選択された後に表示されてもよい。設定変更可能な設定値は、上述のＣＥＣチャンネルを利用した通信で得られる。
【００５４】
第１の制御部１１は、第１のＯＳＤ映像による質問表示の後、ユーザーが設定レベルの変更を希望していないと判断すると（ステップＳ４でＮｏ）、現在の設定レベルを維持してトラブル回避処理を終了させる。なお、ユーザーが設定レベルの変更を希望しているか否かは、ユーザーからの入力指令（図示しない入力部（例えばリモコン等）を使用した指令）によって判断される。例えば、図３に示す映像でユーザーが「Ｎｏ」を選択した場合には、第１の制御部１１は、ユーザーが設定レベルの変更を希望していないと判断する。
【００５５】
一方、第１の制御部１１は、ユーザーが設定レベルの変更を希望していると判断すると（ステップＳ４でＹｅｓ；例えば図３で「Ｙｅｓ」が選択された場合が該当）、ユーザーによる変更値の入力を確認する（ステップＳ５）。
【００５６】
変更値の入力を確認すると、第１の制御部１１は、ユーザーによって選択された設定レベルに従ったテスト映像及び音声を、ＨＤＭＩケーブル３０を介してテレビジョン受像機２０へと出力させる（ステップＳ６）。この際、第１の制御部１１は、確認用のＯＳＤ映像（第２のＯＳＤ映像）をテスト映像に重畳して出力させる。この第２のＯＳＤ映像は、図４に示すような映像であり、ユーザーが映像を見られるか否かを質問（確認）するものである。
【００５７】
ユーザーがテスト映像及び音声を視聴できる状態から、映像及び／又は音声の設定レベルを引き上げる設定変更が行われた場合、ユーザーが映像を見られなくなる場合も想定される。この不都合に対する対策として、第２のＯＳＤ映像をテスト映像に重畳する構成が採用されている。ユーザーは、テレビジョン受像機２０によって映像を見られる場合は、第２のＯＳＤ映像に対して反応する（図４の例の場合、ＯＫを入力することになる）。一方、テレビジョン受像機２０によって映像を見られない場合は、ユーザーは第２のＯＳＤ映像も見られないために無反応となる。
【００５８】
第２のＯＳＤ映像を出力した後に、ユーザーが反応（応答）した場合（入力部による入力操作した場合）には（ステップＳ７でＹｅｓ）、第１の制御部１１は、設定変更（映像や音声の設定レベルの変更）を終了するか否かの確認を行う（ステップＳ８）。この確認は、図３に示すのと同様のＯＳＤ映像による確認であってよい。ユーザーが更に設定変更を行うことを選択した場合には（ステップＳ８でＮｏ）、ステップＳ５に戻って、それ以降の処理が実行される。一方、ユーザーが更に設定変更を行うことを望まないことが確認されると（ステップＳ８でＹｅｓ）、トラブル回避処理が終了される。
【００５９】
第１の制御部１１は、第２のＯＳＤ映像を出力した後に、ユーザーが所定期間を経過しても無反応な場合（ステップＳ７でＮｏ）、映像がテレビジョン受像機２０に表示されていないと判断して、ユーザーが設定変更を行う前の値に映像及び音声の設定レベルを戻す（ステップＳ９）。その後、上述したステップＳ８に進み、それ以降の処理が実行される。このように構成することにより、映像や音声がテレビジョン受像機２０から出力されないといった不具合が発生した場合でも、ユーザーは、できる限り高いレベル（画質、音質）で映像及び音声を視聴可能になる。
【００６０】
（その他）
以上に示した実施形態は本発明の例示であり、本発明の適用範囲は、以上に示した実施形態の構成に限定されるものではない。
【００６１】
例えば、以上に示した実施形態では、ユーザーが通知部１７を利用してトラブルを通知した場合に、映像及び／又は音声の設定レベルが自動変更される（設定レベルが下げられる）構成とした。しかし、本発明は、この構成に限定される趣旨ではない。図５に、通知部１７を利用したトラブル回避処理手順の別形態のフローチャートを示す。以下、図５に示すトラブル回避処理手順について説明する。
【００６２】
光ディスク再生装置１０の第１の制御部１１は、当該装置の電源がオンされると、ユーザーが通知部１７を利用してトラブルを通知したか否かを監視する（ステップＳ１１）。ユーザーからのトラブル通知があったと判断すると（ステップＳ１１でＹｅｓ）、第１の制御部１１は、映像及び音声に関する設定変更可能な設定値（設定レベル）を画面表示する（ステップＳ１２）。なお、設定値が表示される画面としては、例えば光ディスク再生装置１０が備える表示部が利用される。
【００６３】
第１の制御部１１は、設定変更画面の表示処理を行うと、ユーザーが現在の設定とは異なる変更値を入力したか否かを監視する（ステップＳ１３）。ユーザーが変更値を入力したと判断すると（ステップＳ１３でＹｅｓ）、第１の制御部１１は、テレビジョン受像機２０の表示部２４にテスト映像を表示させ、スピーカー２５からテスト音声を出力させるための処理を行う（ステップＳ１４）。
【００６４】
テスト映像等に関わる上述の処理が終了すると、第１の制御部１１は、変更した設定レベルで良いか否かをユーザーに確認する処理を行う（ステップＳ１５）。具体的には、第１の制御部１１は、光ディスク再生装置１０が備える表示部に、変更した設定レベルで良いか否かをユーザーに尋ねる画像を出力させる。
【００６５】
ユーザーから現在の設定レベルで良いとの応答（入力）が得られた場合（ステップＳ１５でＹｅｓ）、現在の設定レベルが維持されて、トラブル回避処理が終了される。一方、ユーザーから現在の設定レベルでは不満であるとの応答（入力）が得られた場合（ステップＳ１５でＮｏ）、ステップＳ１２に戻って設定変更画面が表示される。本構成でも、例えばテレビジョン受像機２０に映像が表示されないといったトラブルが発生した場合でも、ユーザーは適切に対応できる。
【００６６】
また、以上に示した実施形態においては、映像及び／又は音声が視聴できないという不具合を通知するための通知部が光ディスク再生装置１０に設けられる構成とした。しかし、本発明の構成はこれに限られるものではなく、上述の実施形態同様の通知部がテレビジョン受像機２０に設けられる構成であってもよい。この構成の場合には、テレビジョン受像機２０が備える第２の制御部２１が主体となって、上述したトラブル回避処理（実施形態等に示したトラブル回避処理）が実行されるようにすればよい。第２の制御部２１は、通信部１５、２３を介して第１の制御部１１と情報のやり取りを行い、トラブル回避処理を実行させる。
【００６７】
また、以上に示した実施形態においては、ソース機器と受信機器とを接続するケーブルとしてＨＤＭＩケーブルを使用したが、ＨＤＭＩケーブルとは異なるデジタル通信規格を採用したケーブルが使用される場合にも、本発明は適用可能である。
【産業上の利用可能性】
【００６８】
本発明は、例えば、ソース機器と受信機器とをＨＤＭＩケーブルで接続して得られるＡＶシステムに対して好適である。
【符号の説明】
【００６９】
１  ＡＶシステム
１０  光ディスク再生装置（ソース機器）
１１  第１の制御部
１７  通知部
２０  テレビジョン受像機（受信機器）
２１  第２の制御部
３０  ＨＤＭＩケーブル
【図１】
2014093701.tif 000003
【図２】
2014093701.tif 000004
【図３】
2014093701.tif 000005
【図４】
2014093701.tif 000006
【図５】
2014093701.tif 000007